(57)【要約】【課題】本発明は、帳票破れを考慮した信頼性の高い文字認識並びにナンバリング印字が行える光学的文字認識装置を提供することを課題とする。【解決手段】ホスト装置２０は、スキャナ部１３で取得した帳票イメージと、ＦＣに定義された読取位置情報とをもとに、被読取帳票の読取フィールドの文字記入枠より１文字ずつ文字抽出を行い文字認識処理を実行する。更に、文字認識処理の実行に際して、被読取帳票の読取フィールドにかかる破れ検知とその破れ検知に伴う処理、およびナンバリング印字エリアにかかる破れ検知とその破れ検知に伴う処理を実行する。【選択図】    図１
2005251229.tif 000002
【特許請求の範囲】
【請求項１】
背景付き帳票イメージをもとに文字認識処理された帳票のナンバリング印字エリアへの背景パターンの侵入度を検査し、当該検査の結果をもとに前記ナンバリング印字エリアへのナンバリング印字の実行を制御するナンバリング印字制御機構を具備したことを特徴とする光学的文字認識装置。
【請求項２】
背景付き帳票イメージをもとに文字認識処理された帳票のナンバリング印字エリアへの背景パターンの侵入度を検査し、背景パターンがナンバリング印字エリアへ所定の領域を超えて侵入しているとき、ナンバリング印字エリアを変更するナンバリング印字制御機構を具備したことを特徴とする光学的文字認識装置。
【請求項３】
文字認識処理の対象となる帳票のナンバリング印字エリアを含む読取位置情報を定義したフォーマットコントロールと、
前記帳票上を走査して背景付き帳票イメージを取得するスキャナ読取手段と、
前記スキャナ読取手段により取得された背景付き帳票イメージと、前記フォーマットコントロールに定義された読取位置情報とをもとに、前記帳票のナンバリング印字エリア内に背景画素のかたまりが存在するか否かを調べ、前記ナンバリング印字エリア内に背景画素のかたまりが存在するとき、前記ナンバリング印字エリアへのナンバリング印字を回避するナンバリング印字制御手段と
を具備したことを特徴とする光学的文字認識装置。
【請求項４】
スキャナより取得した背景付き帳票イメージと、フォーマットコントロールに定義された位置情報とをもとに、搬送される帳票のナンバリング印字エリアに、ナンバリング印字を行うナンバリング印字制御方法に於いて、
前記フォーマットコントロールに定義された前記帳票のナンバリング印字エリアに、前記背景のかたまりが存在するか否かを判定するステップと、
前記判定ステップに於いて前記帳票のナンバリング印字エリアに前記背景のかたまりが存在する判定がなされた際に、前記ナンバリング印字エリアへのナンバリング印字を回避して、前記ナンバリング印字エリアを変更し、若しくは前記帳票をリジェクト扱いとするステップと
を具備したことを特徴とするナンバリング印字制御方法。
【発明の詳細な説明】
【技術分野】
【０００１】
本発明は、帳票の破れチェック機能を備えた光学的文字認識装置に関する。  
また、本発明は、光学的文字認識装置に於ける帳票上へのナンバリング印字制御方法に関する。
【背景技術】
【０００２】
光学的文字認識（ＯＣＲ；Optical Character Recognition）システムに於いては、被読取媒体となる帳票上の文字読取を行う際、ＦＣ（Format Control）に定義された読取位置情報と、スキャナで読み取った帳票イメージのシートエッジ（座標）とにより、帳票上の読取フィールドを決定し、その読取フィールド内に於いて、１文字ずつ文字抽出を行い、文字認識を行っている。
【０００３】
この際、読取フィールド上の手書き入力された接続文字（続け字）などを１文字ずつ強制的に切り出して文字認識を行うモードに於いて、被読取帳票の一部が破れ、その破れ目が読取フィールドにかかるとき、従来では、読取フィールド上にかかる破れエリアを確実に検出してリジェクト判定できる機構が存在しなかった。
【０００４】
このため、従来では、読取フィールドにかかる破れ部分を記入された文字と間違えて文字認識処理を行い、認識の結果、誤読してしまうという不都合があった。この一例を図９に示している。ここでは、被読取帳票上の読取フィールド９１となる６桁の手書き文字入力領域に於いて、第１桁の文字記入領域（文字記入枠）に破れ目が侵入して破れエリア９２が形成され、続く５桁の文字記入領域に手書き文字「１００００」が記入された例を示している。この例では、読取フィールド９１内の第１桁の文字記入領域に破れエリア９２が存在し、続く５桁の文字記入領域に手書き文字「１００００」が記入されていることから、第１桁の文字記入領域に存在する破れエリア９２を「１」と誤読することで、読取結果が「１１００００」となってしまう誤読発生例を示している。
【０００５】
また、光学的文字認識装置に於ける従来のナンバリング印字機構に於いては、帳票破れの有無に関係なく、上記ＦＣで定義された帳票上のナンバリング印字領域にナンバリング印字を行っていた。従って、従来では、ナンバリング印字領域にかかる帳票破れがあるとき、その破れ部分の印字内容を認識できず、ナンバリング情報を正しく把握できないという問題があった。更に帳票の破れ目がナンバリング印字機構に引っ掛かり、ジャムの発生、ナンバリング印字機構の故障、帳票破れの増長等の不都合を招くという問題があった。
【発明の開示】
【発明が解決しようとする課題】
【０００６】
上述したように従来では、被読取帳票の一部が破れ、その破れ目が読取フィールドにかかるとき、読取フィールドにかかる破れ部分を記入文字と間違えて誤読してしまうという問題があった。
【０００７】
また、従来のナンバリング印字機構に於いては、ＦＣで定義された帳票上のナンバリング印字領域に帳票破れがあるとき、その帳票破れの有無に関係なく、上記ＦＣで定義された帳票上のナンバリング印字領域にナンバリング印字を行ってしまうことから、その破れ部分の印字内容を認識できず、ナンバリング情報を正しく把握できないという問題があった。
【０００８】
本発明は上記実情に鑑みなされたもので、帳票破れを考慮した信頼性の高い文字認識並びにナンバリング印字が行える光学的文字認識装置を提供することを目的とする。
【０００９】
また、本発明は、帳票の一部が破れ、その破れ目がナンバリング印字エリアにかかるとき、その状態を検知して、破れ部分へのナンバリング印字を回避し、更に必要に応じ、印字エリアの変更、エラースタッカへの排出等を可能にして、信頼性の高いナンバリング印字機能を実現することのできる光学的文字認識装置およびナンバリング印字制御方法を提供することを目的とする。
【課題を解決するための手段】
【００１０】
上記目的を達成するために、本発明の光学的文字認識装置は、シートエッジを検出する際に、背景検出とともに、破れ部分を検出し、破れ部分が読取フィールドにかかる場合は、読取フィールドからの文字抽出に際して強制的にリジェクトを行い、また、破れ部分がナンバリング印字エリアにかかる場合は、破れ部分へのナンバリング印字を回避して、エラースタッカへの排出、若しくは破れ部分を回避した他の空きエリアへのナンバリング印字等を可能にして、文字認識機能およびナンバリング印字機能の信頼性を高めたことを特徴とする。
【００１１】
即ち、本発明は、文字認識処理の対象となる帳票のナンバリング印字エリアを含む読取位置情報を定義したフォーマットコントロールと、前記帳票上を走査して背景付き帳票イメージを取得するスキャナ読取手段と、前記スキャナ読取手段により取得された背景付き帳票イメージと、前記フォーマットコントロールに定義された読取位置情報とをもとに、前記帳票のナンバリング印字エリア内に背景画素のかたまりが存在するか否かを調べ、前記ナンバリング印字エリア内に背景画素のかたまりが存在するとき、前記ナンバリング印字エリアへのナンバリング印字を回避するナンバリング印字制御手段とを具備した光学的文字認識装置を特徴とする。
【００１２】
また、本発明は、スキャナより取得した背景付き帳票イメージと、フォーマットコントロールに定義された位置情報とをもとに、搬送される帳票のナンバリング印字エリアに、ナンバリング印字を行うナンバリング印字制御方法に於いて、前記フォーマットコントロールに定義された前記帳票のナンバリング印字エリアに、前記背景のかたまりが存在するか否かを判定するステップと、前記判定ステップに於いて前記帳票のナンバリング印字エリアに前記背景のかたまりが存在する判定がなされた際に、前記ナンバリング印字エリアへのナンバリング印字を回避して、前記ナンバリング印字エリアを変更し、若しくは前記帳票をリジェクト扱いとするステップとを具備したことを特徴とする。
【発明の効果】
【００１３】
本発明によれば、帳票破れを考慮した信頼性の高い文字認識並びにナンバリング印字が行える。
【発明を実施するための最良の形態】
【００１４】
以下、図面を参照して本発明の実施形態を説明する。
【００１５】
図１は、本発明の第１、第２実施形態に於ける光学的文字認識装置ＯＣＲの要部の構成を示すブロック図であり、ＯＣＲの機構部を主構成要素とするＯＣＲ本体１０と、文字認識処理等の各種のプログラム処理を実行するホスト装置（ＨＯＳＴ）２０とにより構成される。
【００１６】
ＯＣＲ本体１０には、被読取帳票を送出するホッパー部（ＨＰＥ）１１、このホッパー部（ＨＰＥ）１１より送出された帳票を搬送する帳票搬送路１２、この帳票搬送路１２上に設けられたスキャナ部（帳票読取部）１３、ＯＣＲ本体１０の制御を司る制御部（ＣＯＮＴ）１４、スキャナ部１３でスキャナ読取された帳票にナンバリング印字を行うナンバリング印字機構１５、読取処理を正常終了した帳票が積まれるスタッカ部１６，１６…、リジェクト判定された帳票が投げ込まれるスタッカ部（リジェクトスタッカまたはエラースタッカ）１７、ダブルフィード検知用のフォトセンサＳ１、スタッカゲート制御用のフォトセンサＳ２，Ｓ３，…Ｓ６等が設けられる。
【００１７】
ホスト装置（ＨＯＳＴ）２０は、スキャナ部１３で読取走査した帳票イメージと、ＦＣに定義された読取位置情報とをもとに、被読取帳票の読取フィールドの文字記入枠より１文字ずつ文字抽出を行い文字認識処理を実行する。更に、本発明の実施形態に於いては、この文字認識処理の実行に際して、被読取帳票の読取フィールドにかかる破れ検知とその破れ検知に伴う処理、およびナンバリング印字エリアにかかる破れ検知とその破れ検知に伴う処理を実行する。この際の各処理手順については、図４乃至図８に示すフローチャートを参照して後述する。
【００１８】
図２および図３は、それぞれ本発明の実施形態に於ける動作を説明するための、破れ部分を含んだ帳票イメージの一例を示したもので、図２は上記図１に示すスキャナ部１３により読取走査された帳票イメージ全体の構成例を示す図、図３は図２に於ける破れ部分を拡大して示す図である。
【００１９】
図中、１２０はスキャナ部１３により読取走査された被読取帳票Ｐの帳票イメージ、１２１は帳票イメージ１２０上の読取フィールド、１２２は読取フィールド１２１内の文字記入枠、１３０は黒の背景イメージ、ＴＥは読取フィールド内の第１桁目の文字記入枠１２２にかかる破れ部分（破れエリア）である。
【００２０】
図４は、本発明の第１実施形態による被読取帳票の読取フィールドにかかる破れ検知とその破れ検知に伴う処理の手順を示すフローチャートである。
【００２１】
図５は、上記図３に於ける破れ検知（ステップＳ１５）の処理手順を示すフローチャートである。
【００２２】
図６は、本発明の第２実施形態による被読取帳票の読取フィールドにかかる破れ検知とその破れ検知に伴う処理の手順を示すフローチャートである。
【００２３】
図７は、本発明の第１実施形態によるナンバリング印字エリアにかかる破れ検知とその破れ検知に伴う処理の手順を示すフローチャートである。
【００２４】
図８は、本発明の第２実施形態によるナンバリング印字エリアにかかる破れ検知とその破れ検知に伴う処理の手順を示すフローチャートである。
【００２５】
ここで、上記各図を参照して本発明の実施形態に於ける動作を説明する。
【００２６】
まず、図１乃至図５を参照して、本発明の第１の実施形態に於ける、被読取帳票の読取フィールドにかかる破れ検知とその破れ検知に伴う処理動作について説明する。
【００２７】
ＯＣＲ本体１０は、ホスト装置２０からの読取指示に従い、ホッパー部（ＨＰＥ）１１に積まれた被読取帳票を所定のタイミングで１枚ずつ帳票搬送路１２上に搬送する。
【００２８】
ホッパー部（ＨＰＥ）１１から帳票搬送路１２上に送り出された被読取帳票（Ｐ）は、ダブルフィードセンサーＳ１でダブルフィードチェックが行なわれた後、スキャナ部（帳票読取部）１３に搬送される。
【００２９】
スキャナ部１３は被読取帳票（Ｐ）上の画像をＣＣＤスキャナにてスキャンニングし、そのスキャンニングにより読取採取した帳票イメージ１２０をホスト装置２０に送出する。
【００３０】
ホスト装置２０は、上記ＯＣＲ本体１０のスキャナ部１３より、被読取帳票（Ｐ）の帳票イメージ１２０を取得すると、文字認識処理に先立ち、帳票破れ検知とその破れ検知に伴う処理を行う。この処理では、上記ＯＣＲ本体１０のスキャナ部１３より取得した被読取帳票（Ｐ）の帳票イメージ１２０と、予め設定された被読取帳票（Ｐ）のＦＣ（フォーマットコントロール）に定義された読取位置情報とをもとに、被読取帳票（Ｐ）の読取フィールド内に背景画素のかたまり（隣接する座標相互がそれぞれ背景画素でなる領域）が存在するか否かを調べ、背景画素のかたまりが存在するとき、前記被読取帳票を読取フィールドにかかる破れのある帳票としてリジェクト判定を行う。この被読取帳票（Ｐ）の読取フィールドにかかる破れ検知と、その破れ検知に伴う処理動作を図４および図５に示すフローチャートを参照して説明する。
【００３１】
ホスト装置２０は、上記ＯＣＲ本体１０のスキャナ部１３より、被読取帳票（Ｐ）の帳票イメージを取得すると（図４ステップＳ１１，Ｓ１２）、その帳票イメージについて、当該帳票イメージのコーナー（帳票端）検知を行う（図４ステップＳ１３）。
【００３２】
このコーナー検知では、図２に示す、被読取帳票（Ｐ）の帳票イメージ１２０の各画素（白画素）と、その帳票周囲の背景イメージ１３０の各画素（黒画素）から、帳票イメージ１２０のコーナー（四隅）を認識し、その各座標（ｘ・ｙ座標値）を求める。
【００３３】
次に、上記取得したコーナー（四隅）のｘ・ｙ座標値を用い、上記帳票イメージ１２０に対する画像の線形補間を行って、帳票イメージ１２０を正規化し、矩形の帳票イメージ１２０を取得する（図４ステップＳ１４）。
【００３４】
この正規化された矩形の帳票イメージ１２０上で、予め設定された被読取帳票（Ｐ）のＦＣ（フォーマットコントロール）を用い、被読取帳票（Ｐ）の読取フィールドにかかる帳票破れ検知処理を行う（図４ステップＳ１５，Ｓ１６）。
【００３５】
以降、図５を用いて帳票の破れ検知処理について説明する。この帳票破れ検知処理では、まず、帳票イメージ１２０全体のラベリングを行って（図５ステップＳ１５１）、帳票エッジ（帳票端）にかかる背景画素のかたまりをみつける（図５ステップＳ１５２）。この際、帳票イメージ１２０に於いて、帳票の破れ部分は、背景イメージ１３０と同じ画素（黒画素）であり、従って、帳票イメージ１２０全体のラベリングを行うことによって、帳票イメージ１２０内に存在する、帳票エッジにかかる背景画素のかたまり（黒ブロック）をみつけることができる。尚、この際、実際の処理上に於ける帳票イメージ１２０全体のラベリング処理では、帳票イメージ１２０全体を縮小して、その縮小画像をラベリングすることで、処理を高速化できる。また、ラベリングによって見つかる、背景画素のかたまり（黒ブロック）には、帳票破れだけでなく、スキャナ読取時に於ける帳票エッジの撓み等に起因した、上記線形補間によって残存する帳票エッジにかかる背景画素のかたまりも含まれる。
【００３６】
この処理でみつけた各背景画素のかたまり（黒ブロック）について、それぞれ、その大きさを調べ（図５ステップＳ１５３）、設定された領域面積（座標領域）より大きいとき、そのかたまりが読取フィールド１２１にかかっているか否かを、読取フィールドの各文字記入枠１２２を単位に調べる（図５ステップＳ１５４）。
【００３７】
ここで、設定された領域面積より大きな背景画素のかたまり（黒ブロック）が、読取フィールド１２１の文字記入枠１２２にかかっていれば、読取フィールド１２１にかかる帳票破れがあると判定し（図５ステップＳ１５５）、背景画素のかたまり（黒ブロック）が、設定された領域面積以下であれば、若しくは、そのかたまりが読取フィールド１２１にかかっていなければ、読取フィールド１２１にかかる帳票破れがないと判定する（図５ステップＳ１５６）。
【００３８】
ここで、読取フィールド１２１にかかる帳票破れがないと判定した際は、その読取フィールド１２１から文字を１文字ずつ抽出し（切り出し）、文字認識処理を行う（図４ステップＳ１６，Ｓ１７）。
【００３９】
また、読取フィールド１２１にかかる帳票破れがあると判定した際は、その被読取帳票（Ｐ）を、読取フィールドにかかる破れのある誤読の虞のある破れがある帳票として、リジェクトスタッカ１７に送出する（図４ステップＳ１８）。
【００４０】
上記したように本発明の実施形態では、被読取帳票のシートエッジを検出する際に、背景検出とともに、破れ部分を検出し、破れ部分が読取フィールドにかかる場合は、読取フィールドからの文字抽出に際して強制的にリジェクトを行うことにより、読取フィールドにかかる破れ部分を、記入された文字と間違えて誤読してしまう不都合を確実に回避して、信頼性の高い文字認識が行える。
【００４１】
次に、本発明の第１の実施形態に於ける、ナンバリング印字エリアにかかる破れ検知とその破れ検知に伴う処理動作を図７に示すフローチャートを参照して説明する。
【００４２】
ここでは、帳票上の破れ目がＦＣで定義したナンバリング印字エリアにかかるとき、そのナンバリング印字エリアへの印字を回避し、例えば近傍のナンバリング印字エリアに変更して、ナンバリング印字を行うことにより、破れ部分へのナンバリング印字による、判読不能を極力回避し、更に印字機構の損傷、帳票の損傷等を回避して、信頼性の高いナンバリング印字機能を実現している。
【００４３】
スキャナ部１３を経た帳票搬送路１２上の帳票は、ナンバリング印字機構１５に於いて、ＦＣで定義されたナンバリング印字領域に、ナンバリング印字が行われた後、認識結果に基づくホスト装置２０からの指示に従い選別されてスタッカ部１６，１６…、のいずれかに送出される。
【００４４】
この際、図７のナンバリング印字処理に於いて、ホスト装置２０は、上記スキャナ部１３で読取走査した帳票イメージと、ＦＣに定義された読取位置情報とをもとに、ナンバリング印字領域に、帳票破れが否かを調べ、帳票破れがないことを確認して、ナンバリング印字を行う。
【００４５】
この処理は、スキャナ部１３で読取走査した帳票イメージと、ＦＣに定義された位置情報とをもとに、上記帳票上のナンバリング印字領域を認識し（図７ステップＳ４１）、そのナンバリング印字領域に、所定の領域を超える黒の背景イメージが存在するか否かを判定する（図７ステップＳ４２，Ｓ４３）。この際の破れ検知並びに領域面積の処理については、前述した被読取帳票の読取フィールドにかかる処理と同様であることから、ここではその説明を省略する。
【００４６】
ここで、ナンバリング印字領域に、設定された大きさ以上の背景イメージが存在しないときは（図７ステップＳ４２のＮｏ）、ＦＣに定義されたナンバリング印字領域にナンバリング印字を行う（図７ステップＳ４６）。
【００４７】
また、ＦＣに定義されたナンバリング印字領域に黒の背景イメージが存在し（図７ステップＳ４２のＹｅｓ）、その黒の背景イメージが設定された大きさ以上の背景イメージが存在するときは（図７ステップＳ４３のＹｅｓ）、ＦＣに定義されたナンバリング印字領域へのナンバリング印字が不可であると判断する（図７ステップＳ４４）。そして、ＦＣにて定義されたナンバリング印字領域へのナンバリング印字を回避して、その近傍のナンバリング印字領域に変更し（図７ステップＳ４５）、その変更したナンバリング印字領域にナンバリング印字を行う（図７ステップＳ４６）。この際の変更先のナンバリング印字領域は、例えばＦＣに定義されたナンバリング印字領域に対して、その座標値を一定の値だけ増減して一意に決定する手段、若しくはＦＣに複数のナンバリング印字領域を予め優先順に定義しておき、破れ検知に伴い変更する手段、若しくはＦＣを参照して帳票上の破れのない空きエリアを探索し決定する手段等のいずれによって決定してもよい。
【００４８】
このように、帳票の一部が破れ、その破れ目がナンバリング印字エリアにかかるとき、その破れ部分へのナンバリング印字を回避し、変更したナンバリング印字領域に印字を行うことで、ナンバリング印字の判読不能を極力回避し、更に印字機構の損傷、帳票の損傷等を回避して、信頼性の高いナンバリング印字が行える。
【００４９】
次に、図６を参照して、本発明の第２の実施形態による被読取帳票の読取フィールドにかかる破れ検知と、その破れ検知に伴う処理について説明する。
【００５０】
この図６に示す第２の実施形態による処理で、上述した図４に示す第１の実施形態の処理と特に異なるところは、読取フィールド１２１にかかる帳票破れがあると判定した際に（図６ステップＳ２１〜Ｓ２６）、その破れのある領域（例えば文字記入枠１２２）の座標を取得（記憶）して（図６ステップＳ２７）、１文字単位で文字認識処理を行い（図６ステップＳ２８）、その１文字単位の認識処理の都度、上記取得した破れ領域の座標を参照して、認識対象文字領域に誤読の虞のある破れがあるか否かをチェックし（図６ステップＳ２９）、ある場合は、誤読の虞のある破れがある文字領域の認識結果を不読文字扱いとして、認識結果を出力する（図６ステップＳ３０，Ｓ３１）。
【００５１】
このような処理に於いても、読取フィールドにかかる破れ部分を、記入された文字と間違えて誤読してしまう不都合を確実に回避して、信頼性の高い文字認識が行える。
【００５２】
次に、図８を参照して、本発明の第２の実施形態によるナンバリング印字エリアにかかる破れ検知と、その破れ検知に伴う処理について説明する。
【００５３】
この図８に示すナンバリング印字処理が、上述した図７に示すナンバリング印字処理と特に異なるところは、被読取帳票（Ｐ）について、ＦＣに、複数箇所のナンバリング印字領域をそれぞれ優先順位をもたせて定義しておき、ＦＣに定義された第１優先度のナンバリング印字領域に、設定された大きさ以上の背景イメージが存在するためナンバリング印字が出来ないときは（図８ステップＳ５１〜Ｓ５４）、印字を行うナンバリング印字領域を、ＦＣに定義された第２優先度のナンバリング印字領域に変更して（図８ステップＳ５５，Ｓ５６）、その第２優先度のナンバリング印字領域に、設定された大きさ以上の背景イメージが存在するか否かを調べる（図８ステップＳ５２，Ｓ５３）。ここで、第２優先度のナンバリング印字領域に、黒の背景イメージが存在せず、あるいは設定された大きさ以上の背景イメージが存在しなければ（図８ステップＳ５２，Ｓ５３のＮｏ）、その第２優先度のナンバリング印字領域にナンバリング印字を行う（図８ステップＳ５７）。また、変更した第２優先度のナンバリング印字領域についても、設定された大きさ以上の背景イメージが存在する際は、さらに次の優先度のナンバリング印字領域に変更して、上記同様の処理を繰り返し実行し、ＦＣに定義されたすべてのナンバリング印字領域について、それぞれ設定された大きさ以上の背景イメージが存在するときは、その帳票をエラースタッカ（例えばリジェクトスタッカ１７）に排出する（図８ステップＳ５８）。
【００５４】
このような処理に於いても、破れ部分へのナンバリング印字を回避した信頼性の高いナンバリング印字機構が実現できる。
【図面の簡単な説明】
【００５５】
【図１】本発明の第１、第２の実施形態に於ける光学的文字認識装置の要部の構成を示すブロック図。
【図２】上記各実施形態に於ける動作を説明するための、破れ部分を含んだ帳票イメージ全体の構成例を示す図。
【図３】図２に於ける破れ部分を拡大して示す図。
【図４】本発明の第１の実施形態による被読取帳票の読取フィールドにかかる破れ検知とその破れ検知に伴う処理の手順を示すフローチャート。
【図５】上記図４に示す破れ検知（ステップＳ１５）の処理手順を示すフローチャート。
【図６】本発明の第２の実施形態による被読取帳票の読取フィールドにかかる破れ検知とその破れ検知に伴う処理の手順を示すフローチャート。
【図７】本発明の第１の実施形態によるナンバリング印字エリアにかかる破れ検知とその破れ検知に伴う処理の手順を示すフローチャート。
【図８】本発明の第２の実施形態によるナンバリング印字エリアにかかる破れ検知とその破れ検知に伴う処理の手順を示すフローチャート。
【図９】誤読の虞のある破れがある帳票の一例を示す図。
【符号の説明】
【００５６】
１０…ＯＣＲ本体、１１…ホッパー部（ＨＰＥ）、１２…帳票搬送路、１３…スキャナ部（帳票読取部）、１４…制御部（ＣＯＮＴ）、１５…ナンバリング印字機構、１６…スタッカ部、１７…スタッカ部（リジェクトスタッカまたはエラースタッカ）、２０…ホスト装置（ＨＯＳＴ）、１２０…帳票イメージ（スキャナイメージ）、１２１…読取フィールド、１２２…文字記入枠、１３０…背景イメージ、Ｐ…被読取帳票、ＴＥ…破れ部分（破れエリア）。
【図１】
2005251229.tif 000003
【図２】
2005251229.tif 000004
【図３】
2005251229.tif 000005
【図４】
2005251229.tif 000006
【図５】
2005251229.tif 000007
【図６】
2005251229.tif 000008
【図７】
2005251229.tif 000009
【図８】
2005251229.tif 000010
【図９】
2005251229.tif 000011